(57)【特許請求の範囲】
【請求項１】
集合住宅に設置され、前記集合住宅のそれぞれの住戸の電気、ガスまたは水道のそれぞれの使用量を測る計量器を格納しているメーターボックスのスチールドアである開き戸において、
錠前により施錠または開錠可能であって、開錠されている場合開閉可能な蓋および前記蓋側が開口している箱状であって、前記蓋が閉じられている場合、開口が前記蓋で閉じられて、密閉される箱状の収納部からなる収納庫と、
前記メーターボックスの外側に前記蓋が配置されるように前記開き戸に空けられている孔に通されている前記収納庫の前記収納部の側面および前記開き戸の面にそれぞれ接する面で留められて、前記収納庫を前記開き戸に留める留め具と
を備え、
前記収納庫の前記蓋は、前記メーターボックスの外側から施錠または開錠可能であり、開錠されている場合、前記メーターボックスの外側から開閉可能とされ、
錠前が設けられてなく、前記収納庫の蓋とは別個に常に開閉可能とされている
開き戸。
【請求項２】
請求項１に記載の開き戸において、
前記留め具は、アングル材または角パイプから形成されている
開き戸。
【請求項３】
請求項１に記載の開き戸において、
前記留め具は、角パイプの１つの面が、短手方向の中央部分から長手方向に沿って開かれて、隣接する面と１つの平面となる形状に形成されている
開き戸。
【請求項４】
請求項２または請求項３に記載の開き戸において、
前記留め具は、前記メーターボックスの外側で前記開き戸に留められている
開き戸。
【請求項５】
請求項２に記載の開き戸において、
前記留め具は、前記メーターボックスの内側で前記開き戸に留められている
開き戸。
【請求項６】
錠前により施錠または開錠可能であって、開錠されているとき開閉可能な蓋と、
前記蓋側が開口している箱状であって、前記蓋が閉じられている場合、開口が前記蓋で閉じられて、密閉される箱状の収納部と、
前記収納部の側面のうち、前記収納部の開口と隣接する側面に、前記収納部の開口に近接して設けられている留め具であって、メーターボックスのスチールドアである開き戸であって、錠前が設けられてなく、前記蓋とは別個に常に開閉可能とされている開き戸に空けられている孔に、前記メーターボックスの外側に前記蓋が配置されるように通されている状態で前記開き戸の面に接する面で前記開き戸の面に留めるための留め具と
を備える収納庫。
【請求項７】
請求項６に記載の収納庫において、
前記留め具は、前記収納部の側面に対してフランジ状に設けられている
収納庫。
【請求項８】
請求項６に記載の収納庫において、
前記留め具は、前記収納部の側面に、長手方向の１つの面が前記収納部の開口に接する角パイプ状に形成されている
収納庫。
【請求項９】
錠前により施錠または開錠可能であって、開錠されている場合開閉可能な蓋および前記蓋側が開口している箱状であって、前記蓋が閉じられている場合、開口が前記蓋で閉じられて、密閉される箱状の収納部からなる収納庫を通す孔を、集合住宅に設置され、前記集合住宅のそれぞれの住戸の電気、ガスまたは水道のそれぞれの使用量を測る計量器を格納しているメーターボックスのスチールドアである開き戸であって、錠前が設けられてなく、前記収納庫の蓋とは別個に常に開閉可能とされている開き戸に開け、
前記メーターボックスの外側に前記蓋が配置されるように前記開き戸に空けられている前記孔に前記収納庫を通し、
留め具の面を前記開き戸の面に留めて、前記収納庫を前記開き戸に留める
開き戸の製造方法。
【請求項１０】
請求項９に記載の開き戸の製造方法において、
前記収納庫に予め設けられている前記留め具によって、前記収納庫を前記開き戸に留める
開き戸の製造方法。
【発明の詳細な説明】
【技術分野】
【０００１】
本発明は開き戸、収納庫および開き戸の製造方法に関し、特に、集合住宅に用いられる開き戸、収納庫および開き戸の製造方法に関する。
【背景技術】
【０００２】
集合住宅には、それぞれの住戸の電気、ガスまたは水道のそれぞれの配線または配管および電気、ガスまたは水道のそれぞれの使用量を測る計量器を格納しているメーターボックスが設けられている。メーターボックスの扉は、スチールドアである開き戸とされている。
【０００３】
従来、各戸を隔てる界壁と共用廊下との交差部分に柱が設置された集合住宅であって、柱の共用廊下に面する面に沿うように宅配ボックスが設けられ、柱が、互いに隣接する交差部分の一方側に設置された第一の柱と、互いに隣接する交差部分の他方側に設置された第二の柱と、を具備し、第一の柱の共用廊下に面する面に沿うように、当該第一の柱の両隣の２住戸分の宅配ボックスが設けられており、第二の柱の共用廊下に面する面に沿うように、当該第二の柱の両隣の２住戸分のメーターボックスが設けられている集合住宅が提案されている（例えば、特許文献１参照）。
【０００４】
また、マンションなどの集合住宅の各住戸の玄関の扉の外側にそれぞれ設けられた水道メーター及びガスメーターが内蔵されるメーターボックスの扉に、この扉の施錠及び解錠が可能な錠が設けられ、メーターボックスの内部の空きスペースに、宅配物が収納可能とされた構成とされている宅配ボックスも提案されている（例えば、特許文献２参照）。
【先行技術文献】
【特許文献】
【０００５】
【特許文献１】特開２０１９−５４９４３号公報
【特許文献２】登録実用新案第３２１３５６６号公報
【発明の概要】
【発明が解決しようとする課題】
【０００６】
しかしながら、既に建築された集合住宅に、不在の場合でも配達された荷物を受け取ることができるように配達された荷物を入れるための収納庫を設置しようとする場合、収納庫を設置するための場所を用意することが困難であった。
【０００７】
また、メーターボックスの扉は、電気、ガスまたは水道の提供業者が計量器を見て使用量を確認するために、自由に開閉できるようにしておく必要がある。
【０００８】
本発明は、このような状況に鑑みてなされたものであり、収納庫を設置するための場所を別途用意することなく、また、メーターボックスの機能を損なうことなく、集合住宅において、不在の場合でも配達された荷物を受け取ることができるようにするものである。
【課題を解決するための手段】
【０００９】
本発明の第１の側面の開き戸は、集合住宅に設置され、集合住宅のそれぞれの住戸の電気、ガスまたは水道のそれぞれの使用量を測る計量器を格納しているメーターボックスのスチールドアである開き戸であって、錠前により施錠または開錠可能であって、開錠されている場合開閉可能な蓋および蓋側が開口している箱状であって、蓋が閉じられている場合、開口が蓋で閉じられて、密閉される箱状の収納部からなる収納庫と、メーターボックスの外側に蓋が配置されるように開き戸に空けられている孔に通されている収納庫の収納部の側面および開き戸の面にそれぞれ接する面で留められて、収納庫を開き戸に留める留め具とを備え、収納庫の蓋は、メーターボックスの外側から施錠または開錠可能であり、開錠されている場合、メーターボックスの外側から開閉可能とされ、錠前が設けられてなく、収納庫の蓋とは別個に常に開閉可能とされている。
【００１０】
本発明の第１の側面の開き戸においては、錠前により施錠または開錠可能であって、開錠されている場合開閉可能な蓋および蓋側が開口している箱状であって、蓋が閉じられている場合、開口が蓋で閉じられて、密閉される箱状の収納部からなる収納庫が、メーターボックスの外側に蓋が配置されるように開き戸に空けられている孔に通されて、留め具で収納庫の収納部の側面および開き戸の面にそれぞれ接する面で留められて、収納庫を開き戸に留られるので、開き戸を閉じれば、収納庫がメーターボックスに収まることになり、収納庫を設置するための場所を別途用意する必要がない。収納庫の蓋が、メーターボックスの外側から施錠または開錠可能であり、開錠されている場合、メーターボックスの外側から開閉可能とされているので、不在の場合でも配達された荷物を受け取ることができる。また、メーターボックスのスチールドアである開き戸は、錠前が設けられてなく、収納庫の蓋とは別個に常に開閉可能とされているので、電気、ガスまたは水道の提供業者が自由に開閉できて、計量器を見て使用量を確認できるので、メーターボックスの機能を損なうことがない。このように、収納庫を設置するための場所を別途用意することなく、また、メーターボックスの機能を損なうことなく、集合住宅において、不在の場合でも配達された荷物を受け取ることができる。
【００１１】
留め具を、アングル材または角パイプから形成することができる。このようにすることで、簡単に収納庫を開き戸に留めることができる。
【００１２】
留め具を、角パイプの１つの面が、短手方向の中央部分から長手方向に沿って開かれて、隣接する面と１つの平面となる形状に形成することができる。このようにすることで、留め具にバネ成分を持たせることができ、収納庫を開き戸に留める場合の応力や収納庫の蓋の開閉により生じる力を吸収して、収納庫の耐久性を向上させることができる。
【００１３】
留め具を、メーターボックスの外側で開き戸に留めることができる。このようにすることで、留め具により装飾性を持たせることができる。
【００１４】
留め具は、メーターボックスの内側で開き戸に留めることができる。このようにすることで、違和感をより少なくして、開き戸に収納庫を留めることができる。
【００１５】
本発明の第２の側面の収納庫は、錠前により施錠または開錠可能であって、開錠されているとき開閉可能な蓋と、蓋側が開口している箱状であって、蓋が閉じられている場合、開口が蓋で閉じられて、密閉される箱状の収納部と、収納部の側面のうち、収納部の開口と隣接する側面に、収納部の開口に近接して設けられている留め具であって、メーターボックスのスチールドアである開き戸であって、錠前が設けられてなく、蓋とは別個に常に開閉可能とされている開き戸に空けられている孔に、メーターボックスの外側に蓋が配置されるように通されている状態で開き戸の面に接する面で開き戸の面に留めるための留め具とを備える。
【００１６】
本発明の第２の側面の収納庫においては、収納部の側面のうち、収納部の開口と隣接する側面に、収納部の開口に近接して設けられている留め具であって、メーターボックスのスチールドアである開き戸であって、錠前が設けられてなく、蓋とは別個に常に開閉可能とされている開き戸に空けられている孔に、メーターボックスの外側に蓋が配置されるように通されている状態で開き戸の面に接する面で開き戸の面に留めるための留め具が設けられているので、開き戸に空けられている孔に収納庫を通せば、より簡単に収納庫を開き戸に留めることができる。留め具で収納庫が開き戸に留められるので、開き戸を閉じれば、収納庫がメーターボックスに収まることになり、収納庫を設置するための場所を別途用意する必要がない。収納庫の蓋が錠前により施錠または開錠可能であって、開錠されているとき開閉可能とされているので、メーターボックスのスチールドアである開き戸に対して、収納庫の扉が外側に配置されるように収納庫を開き戸に留めれば、収納庫の蓋が、メーターボックスの外側から施錠または開錠可能であり、開錠されている場合、メーターボックスの外側から開閉可能とされているので、不在の場合でも配達された荷物を受け取ることができる。収納庫の蓋が、メーターボックスのスチールドアである開き戸とは別に設けられるので、収納庫をメーターボックスのスチールドアである開き戸に留めても、錠前が設けられてないメーターボックスのスチールドアである開き戸を、収納庫の蓋とは別個に常に開閉することができるので、電気、ガスまたは水道の提供業者がメーターボックスのスチールドアである開き戸を自由に開閉できて、計量器を見て使用量を確認できるので、メーターボックスの機能を損なうことがない。このように、収納庫を設置するための場所を別途用意することなく、また、メーターボックスの機能を損なうことなく、集合住宅において、不在の場合でも配達された荷物を受け取ることができる。
【００１７】
留め具を、収納部の側面に対してフランジ状に設けることができる。このようにすることで、簡単に収納庫を開き戸に留めることができる。
【００１８】
留め具を、収納部の側面に、長手方向の１つの面が収納部の開口に接する角パイプ状に形成することができる。このようにすることで、留め具により装飾性を持たせることができる。
【００２０】
本発明の第３の側面の開き戸の製造方法は、錠前により施錠または開錠可能であって、開錠されている場合開閉可能な蓋および蓋側が開口している箱状であって、蓋が閉じられている場合、開口が蓋で閉じられて、密閉される箱状の収納部からなる収納庫を通す孔を、集合住宅に設置され、集合住宅のそれぞれの住戸の電気、ガスまたは水道のそれぞれの使用量を測る計量器を格納しているメーターボックスのスチールドアである開き戸であって、錠前が設けられてなく、収納庫の蓋とは別個に常に開閉可能とされている開き戸に開け、メーターボックスの外側に蓋が配置されるように開き戸に空けられている孔に収納庫を通し、留め具の面を開き戸の面に留めて、収納庫を開き戸に留める。
【００２１】
本発明の第３の側面の開き戸の製造方法においては、錠前が設けられてなく、収納庫の蓋とは別個に常に開閉可能とされている開き戸であって、メーターボックスのスチールドアである開き戸に、錠前により施錠または開錠可能であって、開錠されている場合開閉可能な蓋および蓋側が開口している箱状であって、蓋が閉じられている場合、開口が蓋で閉じられて、密閉される箱状の収納部からなる収納庫を通す孔を開け、メーターボックスの外側に蓋が配置されるように開き戸に空けられている孔に収納庫を通し、留め具によって、留め具の面を開き戸の面に留めて、収納庫を開き戸に留めるので、開き戸を閉じれば、収納庫がメーターボックスに収まることになり、収納庫を設置するための場所を別途用意する必要がない。収納庫の蓋が錠前により施錠または開錠可能であって、開錠されているとき開閉可能とされ、メーターボックスの外側に蓋が配置されるように開き戸に空けられている孔に収納庫を通し、留め具によって、収納庫を開き戸に留めるので、収納庫の蓋が、メーターボックスの外側から施錠または開錠可能であり、開錠されている場合、メーターボックスの外側から開閉可能とされているので、不在の場合でも配達された荷物を受け取ることができる。収納庫の蓋が、メーターボックスのスチールドアである開き戸とは別に設けられるので、収納庫をメーターボックスのスチールドアである開き戸に留めても、錠前が設けられてないメーターボックスのスチールドアである開き戸を、収納庫の蓋とは別個に常に開閉することができるので、電気、ガスまたは水道の提供業者がメーターボックスのスチールドアである開き戸を自由に開閉できて、計量器を見て使用量を確認できるので、メーターボックスの機能を損なうことがない。このように、収納庫を設置するための場所を別途用意することなく、また、メーターボックスの機能を損なうことなく、集合住宅において、不在の場合でも配達された荷物を受け取ることができる。
【００２２】
収納庫に予め設けられている留め具によって、収納庫を開き戸に留めることができる。このようにすることで、より簡単に収納庫を開き戸に留めることができる。
【発明の効果】
【００２３】
以上のように、本発明によれば、収納庫を設置するための場所を別途用意することなく、また、メーターボックスの機能を損なうことなく、集合住宅において、不在の場合でも配達された荷物を受け取ることができる。
【図面の簡単な説明】
【００２４】
【図１】メーターボックス１１のスチールドア２１の構成の例を説明する図である。
【図２】開かれているスチールドア２１を示す図である。
【図３】開かれている扉３１を示す図である。
【図４】メーターボックス１１の切断端面図を示す図である。
【図５】メーターボックス１１の切断端面図を示す図である。
【図６】メーターボックス１１の切断端面図を示す図である。
【図７】メーターボックス１１の切断端面図を示す図である。
【図８】メーターボックス１１の切断端面図を示す図である。
【図９】宅配ボックス１２付きスチールドア２１の製造方法を説明するフローチャートである。
【図１０】メーターボックス１１の切断端面図を示す図である。
【図１１】メーターボックス１１の切断端面図を示す図である。
【図１２】メーターボックス１１の切断端面図を示す図である。
【図１３】メーターボックス１１の切断端面図を示す図である。
【図１４】留め具を予め設けた宅配ボックス１２を用いた宅配ボックス１２付きスチールドア２１の製造方法を説明するフローチャートである。
【発明を実施するための形態】
【００２５】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の第１の側面の開き戸は、集合住宅に設置され、集合住宅のそれぞれの住戸の電気、ガスまたは水道のそれぞれの使用量を測る計量器を格納しているメーターボックスのスチールドアである開き戸であって、錠前により施錠または開錠可能であって、開錠されている場合開閉可能な蓋および蓋側が開口している箱状であって、蓋が閉じられている場合、開口が蓋で閉じられて、密閉される箱状の収納部からなる収納庫（例えば、図３の宅配ボックス１２）と、メーターボックスの外側に蓋が配置されるように開き戸に空けられている孔に通されている収納庫の収納部の側面および開き戸の面にそれぞれ接する面で留められて、収納庫を開き戸に留める留め具（例えば、図３の留め具１３−３および１３−４）とを備え、収納庫の蓋は、メーターボックスの外側から施錠または開錠可能であり、開錠されている場合、メーターボックスの外側から開閉可能とされ、錠前が設けられてなく、収納庫の蓋とは別個に常に開閉可能とされている。
【００２７】
本発明の第２の側面の収納庫は、錠前により施錠または開錠可能であって、開錠されているとき開閉可能な蓋（例えば、図１０の蓋３１）と、蓋側が開口している箱状であって、蓋が閉じられている場合、開口が蓋で閉じられて、密閉される箱状の収納部（例えば、図１０の収納部３２）と、収納部の側面のうち、収納部の開口と隣接する側面に、収納部の開口に近接して設けられている留め具であって、メーターボックスのスチールドアである開き戸であって、錠前が設けられてなく、蓋とは別個に常に開閉可能とされている開き戸に空けられている孔に、メーターボックスの外側に蓋が配置されるように通されている状態で開き戸の面に接する面で開き戸の面に留めるための留め具（例えば、図１０の留め具２０１−１および２０１−２）とを備える。
【００２８】
本発明の第３の側面の開き戸の製造方法は、錠前により施錠または開錠可能であって、開錠されている場合開閉可能な蓋および蓋側が開口している箱状であって、蓋が閉じられている場合、開口が蓋で閉じられて、密閉される箱状の収納部からなる収納庫を通す孔を、集合住宅に設置され、集合住宅のそれぞれの住戸の電気、ガスまたは水道のそれぞれの使用量を測る計量器を格納しているメーターボックスのスチールドアである開き戸であって、錠前が設けられてなく、収納庫の蓋とは別個に常に開閉可能とされている開き戸に開け（例えば、図９のステップＳ１１）、メーターボックスの外側に蓋が配置されるように開き戸に空けられている孔に収納庫を通し（例えば、図９のステップＳ１２）、留め具の面を開き戸の面に留めて、収納庫を開き戸に留める（例えば、図９のステップＳ１３およびステップＳ１４）。
【００２９】
以下、図１乃至図１４を参照して、本発明の実施の形態を説明する。
【００３０】
図１は、本発明の一実施の形態のメーターボックス１１のスチールドア２１の構成の例を説明する図である。図１（Ａ）は、メーターボックス１１の正面図である。図１（Ｂ）は、図１（Ａ）のＡＡ‘線におけるメーターボックス１１の切断端面図を示す図である。
【００３１】
なお、以下、メーターボックス１１に対して前後の方向をＹ軸で図示し、上下の方向をＺ軸で図示し、左右の方向をＸ軸で図示する。また、以下、Ｘ軸方向のうち、図１（Ａ）中の左側を単に左側と称し、Ｘ軸方向のうち、図１（Ａ）中の右側を単に右側と称する。さらに、以下、Ｙ軸方向のうち、図１（Ａ）中の手前側を単に前側と称し、Ｙ軸方向のうち、図１（Ａ）中の奥側を単に後側と称する。さらにまた、以下、Ｚ軸方向のうち、図１（Ａ）中の上側を単に上側と称し、Ｚ軸方向のうち、図１（Ａ）中の下側を単に下側と称する。なお、右側がＸ軸の正の方向であり、後側がＹ軸の正の方向であり、上側がＺ軸の正の方向である。また、Ｚ軸方向を、単に上下方向とも称し、Ｘ軸およびＹ軸に平行な面に沿う方向を単に水平方向または横方向とも称する。以下の図においても同様である。
【００３２】
例えば、メーターボックス１１は、集合住宅の構造体２に囲われるように配置される。構造体２は、コンクリート材、木材、鉄骨材またはブロック材などで形成されている。例えば、メーターボックス１１は、集合住宅の構造体２に沿って配置される。
【００３３】
メーターボックス１１は、配管／配線／メーター３を格納している。配管／配線／メーター３は、集合住宅のそれぞれの住戸の電気、ガスまたは水道のそれぞれの配線または配管および電気、ガスまたは水道のそれぞれの使用量を測る計量器である。すなわち、メーターボックス１１は、集合住宅に設置され、集合住宅のそれぞれの住戸の電気、ガスまたは水道のそれぞれの使用量を測る計量器を格納している。メーターボックス１１は、外形および内形が概ね直方体状の箱である。メーターボックス１１は、配管／配線／メーター３を格納する場所や設備を意味する場合もある。
【００３４】
例えば、メーターボックス１１は、スチールドア２１および収納部２２からなる。なお、メーターボックス１１は、収納部２２を設けることなく、スチールドア２１が構造体２の空間を閉じるようにして、構成するようにしてもよい。スチールドア２１は、前側から見て長方形状に形成されている。スチールドア２１は、鋼板から形成されている開き戸である。すなわち、スチールドア２１は、収納部２２に対して開閉可能な蓋である。スチールドア２１と収納部２２とは、右側に設けられているヒンジで接続されている。ヒンジの図示は省略する。図２に示されるように、スチールドア２１は、上側から見て反時計回りに回動させられて開かれ、上側から見て時計回りに回動させられて閉じられる。スチールドア２１には、錠前は設けられてなく、施錠されない。スチールドア２１は、常に、開閉可能とされている。
【００３５】
収納部２２は、スチールドア２１側、すなわち前側が開口している直方体状に形成されている箱である。例えば、収納部２２は、鋼板から形成されている。収納部２２は、配管／配線／メーター３を格納している。
【００３６】
スチールドア２１の左側であって、上下方向の中央部分には、平面ハンドル２３が設けられている。平面ハンドル２３は、スチールドア２１の前側の面と面一で格納され、スチールドア２１を開く場合、奥側に押すことなどにより、スチールドア２１の前側の面から突出して、手で掴みやすくなる。スチールドア２１の前側の面から突出した平面ハンドル２３を掴んで手前に引っ張ることで、スチールドア２１が開かれる。
【００３７】
スチールドア２１には、宅配ボックス１２が設けられている。宅配ボックス１２は、収納庫の一例である。宅配ボックス１２は、施錠可能な収納庫である。宅配ボックス１２は、スチールドア２１に空けられた孔に通されて、スチールドア２１に固定されている。宅配ボックス１２は、スチールドア２１に留め具１３−１乃至１３−４により留められている。
【００３８】
宅配ボックス１２は、蓋３１、収納部３２、錠前３３および印鑑部３４を含み構成されている。蓋３１は、収納部３２に対して開閉可能に設けられている。例えば、蓋３１は、前側から見て長方形状に形成されている。収納部３２は、蓋３１側が開口している箱状に形成されている。例えば、収納部３２は、中空の直方体状に形成されている。蓋３１および収納部３２は、それぞれ、鋼、ステンレス鋼若しくはアルミニウム合金などの金属、強度と耐久性とを有するエンジニアリングプラスチックなどの樹脂若しくはガラス繊維若しくは炭素繊維などの繊維および樹脂などからなる複合材料またはこれらの組合せなどからなる。
【００３９】
蓋３１と収納部３２とは、右側に設けられているヒンジで接続されている。ヒンジの図示は省略する。蓋３１が閉じられている場合、収納部３２の開口が蓋３１で閉じられて、収納部３２は密閉される。蓋３１が開かれている場合、収納部３２の開口が開かれるので、収納部３２に所望の物品を出し入れすることができる。
【００４０】
錠前３３は、蓋３１に施錠し、または開錠する。例えば、錠前３３は、所定の番号のボタンを順に押圧したり、ダイヤルを合わせたりしたうえで、つまみを捻ったりスライドさせたりして、閂や錠を動かして、施錠または開錠する。また、例えば、錠前３３は、鍵によって、閂や錠を動かして、施錠または開錠する。なお、錠前３３は、ダイヤル錠やシリンダ錠などの機械式であっても、電子錠やカードキー錠などの電気式であってもよい。錠前３３が開錠されている場合、蓋３１は、開閉可能である。
【００４１】
印鑑部３４は、荷物の配達に用いる伝票に押印するための印鑑である。例えば、印鑑部３４は、下側から伝票が差し込まれた状態で、奥側に押し込まれることにより、伝票に押印する。
【００４２】
宅配ボックス１２は、スチールドア２１に対して、蓋３１、錠前３３および印鑑部３４がスチールドア２１の前側（表側）になるように配置される。すなわち、宅配ボックス１２は、メーターボックス１１の外側に蓋３１が配置されるように、スチールドア２１に空けられた孔に通されて、スチールドア２１に固定されている。また、宅配ボックス１２は、蓋３１を開閉可能にスチールドア２１に固定される。図３に示されるように、蓋３１は、上側から見て反時計回りに回動させられて開かれ、上側から見て時計回りに回動させられて閉じられる。
【００４３】
宅配ボックス１２の蓋３１は、メーターボックス１１の外側から施錠または開錠可能であり、開錠されている場合、メーターボックス１１の外側から開閉可能とされている。また、スチールドア２１は、宅配ボックス１２の蓋３１とは別個に開閉可能とされている。宅配ボックス１２の蓋３１は、スチールドア２１とは別個に開閉可能とされている。
【００４４】
留め具１３−１乃至１３−４は、宅配ボックス１２の収納部３２とスチールドア２１とを留める。留め具１３−１乃至１３−４は、メーターボックス１１の外側に宅配ボックス１２の蓋３１が配置されるように、スチールドア２１に空けられている孔に通されている宅配ボックス１２をスチールドア２１に留める。留め具１３−１乃至１３−４は、鋼、ステンレス鋼若しくはアルミニウム合金などの金属、強度と耐久性とを有するエンジニアリングプラスチックなどの樹脂若しくはガラス繊維若しくは炭素繊維などの繊維および樹脂などからなる複合材料またはこれらの組合せなどからなる。
【００４５】
留め具１３−１（図４に示す）は、宅配ボックス１２の収納部３２の側面のうちの、上側の側面とスチールドア２１とを留める。留め具１３−１は、ボルト４１−１−１、４１−１−２および４１−１−３によりスチールドア２１に留められる。留め具１３−１は、後述するボルトおよびナットなどにより、収納部３２の上側の側面に留められる。留め具１３−２（図４に示す）は、宅配ボックス１２の収納部３２の側面のうちの、下側の側面とスチールドア２１とを留める。留め具１３−２は、ボルト４１−２−１、４１−２−２および４１−２−３によりスチールドア２１に留められる。留め具１３−２は、後述するボルトおよびナットなどにより、収納部３２の下側の側面に留められる。
【００４６】
留め具１３−３は、宅配ボックス１２の収納部３２の側面のうちの、左側の側面とスチールドア２１とを留める。留め具１３−３は、ボルト４１−３−１、４１−３−２および４１−３−３によりスチールドア２１に留められる。留め具１３−３は、ボルトおよびナットなどにより、収納部３２の左側の側面に留められる。留め具１３−４は、宅配ボックス１２の収納部３２の側面のうちの、右側の側面とスチールドア２１とを留める。留め具１３−４は、ボルト４１−４−１、４１−４−２および４１−４−３によりスチールドア２１に留められる。留め具１３−４は、ボルトおよびナットなどにより、収納部３２の右側の側面に留められる。
【００４７】
次に、留め具１３−１乃至１３−４を含む留め具の例について、図４乃至図８を参照して説明する。
【００４８】
図４は、留め具１３−１および１３−２の構成を示す、図１（Ａ）のＢＢ‘線におけるメーターボックス１１の切断端面図を示す図である。
【００４９】
留め具１３−１および１３−２は、それぞれ、断面がＬ字状のアングル材で形成される。アングル材とは、直方形の板材を、いずれかの辺に平行して、中央部分で直角に折り曲げた形状とされていることを意味する。例えば、アングル材は、圧延などで形成される。鋼製のアングル材は、山形鋼などとも称される。留め具１３−１および１３−２は、メーターボックス１１の内側でスチールドア２１に留められる。留め具１３−１は、収納部３２の上側を留める。留め具１３−２は、収納部３２の下側を留める。
【００５０】
留め具１３−１および１３−２は、長手方向が水平方向（左右方向）に配置され、また、留め具１３−１および１３−２の２７０度の優角をなす面が、収納部３２の側面およびスチールドア２１の後側の面（裏面）に接するように配置される。すなわち、留め具１３−１は、長手方向が水平方向（左右方向）になり、また、Ｌ字状の面のうちの下側の面が、収納部３２の上側の側面に接し、Ｌ字状の面のうちの左側の面（図４中において、Ｌ字状が左右に反転しているので、右側の面）が、スチールドア２１の後側の面（裏面）に接するように配置される。留め具１３−２は、長手方向が水平方向（左右方向）になり、また、Ｌ字状の面のうちの下側の面（図４中において、Ｌ字状が１８０度回転しているので、上側の面）が、収納部３２の下側の側面に接し、Ｌ字状の面のうちの左側の面（図４中において、Ｌ字状が１８０度回転しているので、右側の面）が、スチールドア２１の後側の面（裏面）に接するように配置される。
【００５１】
留め具１３−１のスチールドア２１と接する部分は、ボルト４１−１−１、４１−１−２および４１−１−３によりスチールドア２１に留められる。例えば、留め具１３−１にネジ切り加工されている孔であるネジ孔が設けられて、スチールドア２１の対応する位置にキリ孔（いわゆるバカ孔）が設けられて、ボルト４１−１−１、４１−１−２および４１−１−３が、それぞれ、スチールドア２１の前側からスチールドア２１のキリ孔を通されて、留め具１３−１のネジ孔に螺合されることにより、留め具１３−１のスチールドア２１と接する部分が、スチールドア２１に留められる。
【００５２】
留め具１３−１の収納部３２の側面と接する部分は、ボルト５１−１−１（図示せず）およびナット５２−１−１（図示せず）、ボルト５１−１−２およびナット５２−１−２並びにボルト５１−１−３（図示せず）およびナット５２−１−３（図示せず）により収納部３２の側面に留められる。例えば、留め具１３−１および収納部３２の側面の対応する位置のそれぞれにキリ孔が設けられて、ボルト５１−１−１、５１−１−２および５１−１−３が、それぞれ、留め具１３−１のキリ孔および収納部３２の側面のキリ孔を通されて、ナット５２−１−１、５２−１−２および５２−１−３のそれぞれに螺合されることにより、留め具１３−１の収納部３２の側面と接する部分が、収納部３２の側面に留められる。
【００５３】
留め具１３−２のスチールドア２１と接する部分は、ボルト４１−２−１、４１−２−２および４１−２−３によりスチールドア２１に留められる。例えば、留め具１３−２にネジ孔が設けられて、スチールドア２１の対応する位置にキリ孔が設けられて、ボルト４１−２−１、４１−２−２および４１−２−３が、それぞれ、スチールドア２１の前側からスチールドア２１のキリ孔を通されて、留め具１３−２のネジ孔に螺合されることにより、留め具１３−２のスチールドア２１と接する部分が、スチールドア２１に留められる。
【００５４】
留め具１３−２の収納部３２の側面と接する部分は、ボルト５１−２−１（図示せず）およびナット５２−２−１（図示せず）、ボルト５１−２−２およびナット５２−２−２並びにボルト５１−２−３（図示せず）およびナット５２−２−３（図示せず）により収納部３２の側面に留められる。例えば、留め具１３−２および収納部３２の側面の対応する位置のそれぞれにキリ孔が設けられて、ボルト５１−２−１、５１−２−２および５１−２−３がそれぞれ、留め具１３−１のキリ孔および収納部３２の側面のキリ孔を通されて、ナット５２−２−１、５２−２−２および５２−２−３のそれぞれに螺合されることにより、留め具１３−２の収納部３２の側面と接する部分が、収納部３２の側面に留められる。
【００５５】
留め具１３−３および１３−４は、それぞれ、留め具１３−１および１３−２と同様に、断面がＬ字状のアングル材で形成される。留め具１３−３は、収納部３２の左側を留める。留め具１３−４は、収納部３２の右側を留める。留め具１３−３および１３−４は、長手方向が上下方向に配置され、また、留め具１３−３および１３−４の２７０度の優角をなす面が、収納部３２の左側または右側の側面およびスチールドア２１の後側の面（裏面）に接するように配置される。留め具１３−３および１３−４は、留め具１３−１および１３−２と同様に構成され、留め具１３−１および１３−２と同様に、スチールドア２１と宅配ボックス１２の収納部３２とを留めるので、その説明は省略する。
【００５６】
このように、留め具１３−１乃至１３−４は、メーターボックス１１の内側でスチールドア２１に留められている。
【００５７】
次に、留め具の他の例について、図５乃至図８を参照して説明する。図５乃至図８は、図４と同様の切断端面におけるメーターボックス１１の切断端面図を示す図である。
【００５８】
図５は、アングル材で形成される留め具の他の例を示す、メーターボックス１１の切断端面図を示す図である。
【００５９】
留め具１０１−１および１０１−２は、それぞれ、断面がＬ字状のアングル材で形成される。留め具１０１−１は、収納部３２の上側を留める。留め具１０１−２は、収納部３２の下側を留める。留め具１０１−１および１０１−２は、メーターボックス１１の外側でスチールドア２１に留められる。留め具１０１−１および１０１−２は、メーターボックス１１の内側で収納部３２に留められる。留め具１０１−１および１０１−２の一部は、メーターボックス１１の外側に配置され、留め具１０１−１および１０１−２の一部は、メーターボックス１１の内側に配置される。
【００６０】
留め具１０１−１および１０１−２は、長手方向が水平方向（左右方向）に配置され、また、留め具１０１−１および１０１−２の２７０度の優角をなす面のうちの１つの面が、収納部３２の側面に接し、留め具１０１−１および１０１−２の９０度の劣角をなす面のうちの１つの面が、スチールドア２１の前側の面（表面）に接するように配置される。すなわち、留め具１０１−１は、長手方向が水平方向（左右方向）になり、また、Ｌ字状の面のうちの下側の面が、収納部３２の上側の側面に接し、Ｌ字状の面のうちの右側の面（図５中において、Ｌ字状が左右に反転しているので、左側の面）が、スチールドア２１の前側の面（表面）に接するように配置される。留め具１０１−２は、長手方向が水平方向（左右方向）になり、また、Ｌ字状の面のうちの下側の面（図５中において、Ｌ字状が１８０度回転しているので、上側の面）が、収納部３２の下側の側面に接し、Ｌ字状の面のうちの右側の面（図５中において、Ｌ字状が１８０度回転しているので、左側の面）が、スチールドア２１の前側の面（表面）に接するように配置される。留め具１０１−１および１０１−２のＬ字状の下側部分は、スチールドア２１の孔と収納部３２の側面との間から、メーターボックス１１の内側に入り込む。
【００６１】
留め具１０１−１のスチールドア２１と接する部分は、ボルト４１−１−１、４１−１−２および４１−１−３によりスチールドア２１に留められる。例えば、留め具１０１−１にキリ孔（いわゆるバカ孔）が設けられて、スチールドア２１の対応する位置にネジ切り加工されている孔であるネジ孔が設けられて、ボルト４１−１−１、４１−１−２および４１−１−３が、それぞれ、スチールドア２１の前側から、留め具１０１−１のキリ孔を通されて、スチールドア２１のネジ孔に螺合されることにより、留め具１０１−１のスチールドア２１と接する部分が、スチールドア２１に留められる。
【００６２】
留め具１０１−１の収納部３２の側面と接する部分は、ボルト５１−１−１（図示せず）およびナット５２−１−１（図示せず）、ボルト５１−１−２およびナット５２−１−２並びにボルト５１−１−３（図示せず）およびナット５２−１−３（図示せず）により収納部３２の側面に留められる。例えば、留め具１０１−１および収納部３２の側面の対応する位置のそれぞれにキリ孔が設けられて、ボルト５１−１−１、５１−１−２および５１−１−３がそれぞれ、留め具１０１−１のキリ孔および収納部３２の側面のキリ孔を通されて、ナット５２−１−１、５２−１−２および５２−１−３のそれぞれに螺合されることにより、留め具１０１−１の収納部３２の側面と接する部分が、収納部３２の側面に留められる。
【００６３】
留め具１０１−２のスチールドア２１と接する部分は、ボルト４１−２−１、４１−２−２および４１−２−３によりスチールドア２１に留められる。例えば、留め具１０１−２にキリ孔が設けられて、スチールドア２１の対応する位置にネジ孔が設けられて、ボルト４１−２−１、４１−２−２および４１−２−３が、それぞれ、スチールドア２１の前側から、留め具１０１−２のキリ孔を通されて、スチールドア２１のネジ孔に螺合されることにより、留め具１０１−２のスチールドア２１と接する部分が、スチールドア２１に留められる。
【００６４】
留め具１０１−２の収納部３２の側面と接する部分は、ボルト５１−２−１（図示せず）およびナット５２−２−１（図示せず）、ボルト５１−２−２およびナット５２−２−２並びにボルト５１−２−３（図示せず）およびナット５２−２−３（図示せず）により収納部３２の側面に留められる。例えば、留め具１０１−２および収納部３２の側面の対応する位置のそれぞれにキリ孔が設けられて、ボルト５１−２−１、５１−２−２および５１−２−３がそれぞれ、留め具１０１−１のキリ孔および収納部３２の側面のキリ孔を通されて、ナット５２−２−１、５２−２−２および５２−２−３のそれぞれに螺合されることにより、留め具１０１−２の収納部３２の側面と接する部分が、収納部３２の側面に留められる。
【００６５】
留め具１０１−３（図示せず）および１０１−４（図示せず）は、それぞれ、留め具１０１−１および１０１−２と同様に、断面がＬ字状のアングル材で形成される。留め具１０１−３は、収納部３２の左側を留める。留め具１０１−４は、収納部３２の右側を留める。留め具１０１−３および１０１−４は、留め具１０１−１および１０１−２と同様に、長手方向が上下方向に配置され、また、留め具１０１−３および１０１−４の２７０度の優角をなす面のうちの１つの面が、収納部３２の側面に接し、留め具１０１−３および１０１−４の９０度の劣角をなす面のうちの１つの面が、スチールドア２１の前側の面（表面）に接するように配置される。
【００６６】
留め具１０１−３および１０１−４は、留め具１０１−１および１０１−２と同様に構成され、留め具１０１−１および１０１−２と同様に、スチールドア２１と宅配ボックス１２の収納部３２とを留めるので、その説明は省略する。
【００６７】
このように、留め具１３−１乃至１３−４は、メーターボックス１１の外側でスチールドア２１に留められている。留め具１３−１乃至１３−４は、メーターボックス１１の内側で収納部３２に留められている。
【００６８】
また、留め具は、角パイプで形成することもできる。図６は、角パイプで形成される留め具の例を示す、メーターボックス１１の切断端面図を示す図である。
【００６９】
留め具１１１−１および１１１−２は、それぞれ、断面が口の字状の角パイプで形成される。角パイプとは、中空の管状であって、断面形状が長方形状とされていることを意味する。鋼製の角パイプは、角形鋼管または角鋼管などとも称される。留め具１１１−１および１１１−２は、メーターボックス１１の内側でスチールドア２１に留められる。留め具１１１−１は、収納部３２の上側を留める。留め具１１１−２は、収納部３２の下側を留める。
【００７０】
留め具１１１−１は、長手方向が水平方向（左右方向）になり、また、外側の面のうちの下側の面が、収納部３２の側面に接し、外側の面のうちの前側の面が、スチールドア２１の後側の面（裏面）に接するように配置される。留め具１１１−２は、長手方向が水平方向（左右方向）になり、また、外側の面のうちの上側の面が、収納部３２の側面に接し、外側の面のうちの前側の面が、スチールドア２１の後側の面（裏面）に接するように配置される。
【００７１】
留め具１１１−１の側面のうち、スチールドア２１と接する側面は、ボルト４１−１−１、４１−１−２および４１−１−３によりスチールドア２１に留められる。例えば、留め具１１１−１の側面のうち、スチールドア２１と接する側面にネジ孔が設けられて、スチールドア２１の対応する位置にキリ孔が設けられて、ボルト４１−１−１、４１−１−２および４１−１−３が、それぞれ、スチールドア２１の前側からスチールドア２１のキリ孔を通されて、留め具１１１−１のネジ孔に螺合されることにより、留め具１１１−１が、スチールドア２１に留められる。
【００７２】
留め具１１１−１の側面のうち、収納部３２の側面と接する側面は、ボルト１１２−１−１（図示せず）、１１２−１−２および１１２−１−３（図示せず）により収納部３２の側面に留められる。例えば、留め具１１１−１の側面のうち、収納部３２の側面と接する側面にネジ孔が設けられて、収納部３２の側面の対応する位置にキリ孔が設けられて、ボルト１１２−１−１、１１２−１−２および１１２−１−３がそれぞれ、収納部３２の側面のキリ孔のそれぞれを通されて、留め具１１１−１の側面のネジ孔のそれぞれに螺合されることにより、留め具１１１−１が、収納部３２の側面に留められる。
【００７３】
留め具１１１−２の側面のうち、スチールドア２１と接する側面は、ボルト４１−２−１、４１−２−２および４１−２−３によりスチールドア２１に留められる。例えば、留め具１１１−２の側面のうち、スチールドア２１と接する側面にネジ孔が設けられて、スチールドア２１の対応する位置にキリ孔が設けられて、ボルト４１−２−１、４１−２−２および４１−２−３が、それぞれ、スチールドア２１の前側からスチールドア２１のキリ孔を通されて、留め具１１１−２のネジ孔に螺合されることにより、留め具１１１−２が、スチールドア２１に留められる。
【００７４】
留め具１１１−２の側面のうち、収納部３２の側面と接する側面は、ボルト１１２−２−１（図示せず）、１１２−２−２および１１２−２−３（図示せず）により収納部３２の側面に留められる。例えば、留め具１１１−２の側面のうち、収納部３２の側面と接する側面にネジ孔が設けられて、収納部３２の側面の対応する位置にキリ孔が設けられて、ボルト１１２−２−１、１１２−２−２および１１２−２−３がそれぞれ、収納部３２の側面のキリ孔のそれぞれを通されて、留め具１１１−２の側面のネジ孔のそれぞれに螺合されることにより、留め具１１１−２が、収納部３２の側面に留められる。
【００７５】
留め具１１１−３（図示せず）および１１１−４（図示せず）は、それぞれ、留め具１１１−１および１１１−２と同様に、断面が口の字状の角パイプで形成される。留め具１１１−３は、収納部３２の左側を留める。留め具１１１−４は、収納部３２の右側を留める。留め具１１１−３は、長手方向が上下方向になり、また、外側の面のうちの右側の面が、収納部３２の左側の側面に接し、外側の面のうちの前側の面が、スチールドア２１の後側の面（裏面）に接するように配置される。留め具１１１−４は、長手方向が上下方向になり、また、外側の面のうちの左側の面が、収納部３２の右側の側面に接し、外側の面のうちの前側の面が、スチールドア２１の後側の面（裏面）に接するように配置される。
【００７６】
留め具１１１−３および１１１−４は、留め具１１１−１および１１１−２と同様に構成され、留め具１１１−１および１１１−２と同様に、スチールドア２１と宅配ボックス１２の収納部３２とを留めるので、その説明は省略する。
【００７７】
このように、留め具１１１−１乃至１１１−４は、メーターボックス１１の内側でスチールドア２１に留められている。
【００７８】
また、角パイプで形成されている留め具は、メーターボックス１１の外側でスチールドア２１に留めることもできる。図７は、角パイプで形成される留め具の他の例を示す、メーターボックス１１の切断端面図を示す図である。
【００７９】
留め具１２１−１および１２１−２は、それぞれ、断面が口の字状の角パイプで形成される。留め具１２１−１および１２１−２は、メーターボックス１１の外側でスチールドア２１に留められる。留め具１２１−１は、収納部３２の上側を留める。留め具１２１−２は、収納部３２の下側を留める。
【００８０】
留め具１２１−１は、長手方向が水平方向（左右方向）になり、また、外側の面のうちの下側の面が、収納部３２の側面に接し、外側の面のうちの後側の面が、スチールドア２１の前側の面（表面）に接するように配置される。留め具１２１−２は、長手方向が水平方向（左右方向）になり、また、外側の面のうちの上側の面が、収納部３２の側面に接し、外側の面のうちの後側の面が、スチールドア２１の前側の面（表面）に接するように配置される。
【００８１】
留め具１２１−１の側面のうち、スチールドア２１と接する側面は、ボルト４１−１−１、４１−１−２および４１−１−３によりスチールドア２１に留められる。例えば、留め具１２１−１の側面のうち、スチールドア２１と接する側面にネジ孔が設けられて、スチールドア２１の対応する位置にキリ孔が設けられて、ボルト４１−１−１、４１−１−２および４１−１−３が、それぞれ、スチールドア２１の後側からスチールドア２１のキリ孔を通されて、留め具１２１−１のネジ孔に螺合されることにより、留め具１２１−１が、スチールドア２１に留められる。
【００８２】
留め具１２１−１の側面のうち、収納部３２の側面と接する側面は、ボルト１１２−１−１（図示せず）、１１２−１−２および１１２−１−３（図示せず）により収納部３２の側面に留められる。例えば、留め具１２１−１の側面のうち、収納部３２の側面と接する側面にネジ孔が設けられて、収納部３２の側面の対応する位置にキリ孔が設けられて、ボルト１１２−１−１、１１２−１−２および１１２−１−３がそれぞれ、収納部３２の側面のキリ孔のそれぞれを通されて、留め具１２１−１の側面のネジ孔のそれぞれに螺合されることにより、留め具１２１−１が、収納部３２の側面に留められる。
【００８３】
留め具１２１−２の側面のうち、スチールドア２１と接する側面は、ボルト４１−２−１、４１−２−２および４１−２−３によりスチールドア２１に留められる。例えば、留め具１２１−２の側面のうち、スチールドア２１と接する側面にネジ孔が設けられて、スチールドア２１の対応する位置にキリ孔が設けられて、ボルト４１−２−１、４１−２−２および４１−２−３が、それぞれ、スチールドア２１の後側からスチールドア２１のキリ孔を通されて、留め具１２１−２のネジ孔に螺合されることにより、留め具１２１−２が、スチールドア２１に留められる。
【００８４】
留め具１２１−２の側面のうち、収納部３２の側面と接する側面は、ボルト１１２−２−１（図示せず）、１１２−２−２および１１２−２−３（図示せず）により収納部３２の側面に留められる。例えば、留め具１２１−２の側面のうち、収納部３２の側面と接する側面にネジ孔が設けられて、収納部３２の側面の対応する位置にキリ孔が設けられて、ボルト１１２−２−１、１１２−２−２および１１２−２−３がそれぞれ、収納部３２の側面のキリ孔のそれぞれを通されて、留め具１２１−２の側面のネジ孔のそれぞれに螺合されることにより、留め具１２１−２が、収納部３２の側面に留められる。
【００８５】
留め具１２１−３（図示せず）および１２１−４（図示せず）は、それぞれ、留め具１２１−１および１２１−２と同様に、断面が口の字状の角パイプで形成される。留め具１２１−３は、収納部３２の左側を留める。留め具１２１−４は、収納部３２の右側を留める。留め具１２１−３は、長手方向が上下方向になり、また、外側の面のうちの右側の面が、収納部３２の左側の側面に接し、外側の面のうちの後側の面が、スチールドア２１の前側の面（表面）に接するように配置される。留め具１２１−４は、長手方向が上下方向になり、また、外側の面のうちの左側の面が、収納部３２の右側の側面に接し、外側の面のうちの後側の面が、スチールドア２１の前側の面（表面）に接するように配置される。留め具１２１−３および１２１−４は、留め具１２１−１および１２１−２と同様に構成され、留め具１２１−１および１２１−２と同様に、スチールドア２１と宅配ボックス１２の収納部３２とを留めるので、その説明は省略する。
【００８６】
このように、留め具１２１−１乃至１２１−４は、メーターボックス１１の外側でスチールドア２１に留められている。意匠を施した留め具１２１−１乃至１２１−４によって、スチールドア２１に装飾性を付加することができる。
【００８７】
さらに、留め具を鋼板などが曲げられて形成された曲げ物で構成することができる。図８は、曲げ物で形成される留め具の他の例を示す、メーターボックス１１の切断端面図を示す図である。
【００８８】
留め具１３１−１および１３１−２は、それぞれ、角パイプの１つの面が、短手方向の中央部分から長手方向に沿って開かれて、開かれた面の部分と隣接する側面とが１つの平面となる形状に形成されている。留め具１３１−１および１３１−２の長手方向に直交する向きにおける、留め具１３１−１および１３１−２の断面の形状は、直線的に描かれた数字の６の丸の部分が開いた形状と言うこともできる。留め具１３１−１は、収納部３２の上側を留める。留め具１３１−２は、収納部３２の下側を留める。留め具１３１−１および１３１−２は、メーターボックス１１の外側でスチールドア２１に留められる。留め具１３１−１および１３１−２の一部は、メーターボックス１１の外側に配置され、留め具１３１−１および１３１−２の一部は、メーターボックス１１の内側に配置される。
【００８９】
留め具１３１−１は、長手方向が水平方向（左右方向）になり、また、外側の面のうちの幅広の面が、収納部３２の側面に接し、外側の面のうちの幅狭の面が、スチールドア２１の前側の面（表面）に接するように配置される。留め具１３１−１の幅広の面の部分は、スチールドア２１の孔と収納部３２の側面との間から、メーターボックス１１の内側に入り込む。留め具１３１−２は、長手方向が水平方向（左右方向）になり、また、外側の面のうちの幅広の面が、収納部３２の側面に接し、外側の面のうちの幅狭の面が、スチールドア２１の前側の面（表面）に接するように配置される。留め具１３１−２の幅広の面の部分は、スチールドア２１の孔と収納部３２の側面との間から、メーターボックス１１の内側に入り込む。
【００９０】
留め具１３１−１の側面のうち、スチールドア２１と接する側面は、ボルト４１−１−１、４１−１−２および４１−１−３によりスチールドア２１に留められる。例えば、留め具１３１−１の側面のうち、スチールドア２１と接する側面にネジ孔が設けられて、スチールドア２１の対応する位置にキリ孔が設けられて、ボルト４１−１−１、４１−１−２および４１−１−３が、それぞれ、スチールドア２１の後側からスチールドア２１のキリ孔を通されて、留め具１３１−１のネジ孔に螺合されることにより、留め具１３１−１が、スチールドア２１に留められる。
【００９１】
留め具１３１−１の側面のうち、収納部３２の側面と接する側面は、ボルト１１２−１−１（図示せず）、１１２−１−２および１１２−１−３（図示せず）により収納部３２の側面に留められる。例えば、留め具１３１−１の側面のうち、収納部３２の側面と接する側面であって、スチールドア２１の内側に入り込む部分にキリ孔が設けられて、収納部３２の側面の対応する位置にネジ孔が設けられて、ボルト１１２−１−１、１１２−１−２および１１２−１−３がそれぞれ、留め具１３１−１の側面のキリ孔のそれぞれを通されて、収納部３２の側面のネジ孔のそれぞれに螺合されることにより、留め具１３１−１が、収納部３２の側面に留められる。
【００９２】
留め具１３１−２の側面のうち、スチールドア２１と接する側面は、ボルト４１−２−１、４１−２−２および４１−２−３によりスチールドア２１に留められる。例えば、留め具１３１−２の側面のうち、スチールドア２１と接する側面にネジ孔が設けられて、スチールドア２１の対応する位置にキリ孔が設けられて、ボルト４１−２−１、４１−２−２および４１−２−３が、それぞれ、スチールドア２１の後側からスチールドア２１のキリ孔を通されて、留め具１３１−２のネジ孔に螺合されることにより、留め具１３１−２が、スチールドア２１に留められる。
【００９３】
留め具１３１−２の側面のうち、収納部３２の側面と接する側面は、ボルト１１２−２−１（図示せず）、１１２−２−２および１１２−２−３（図示せず）により収納部３２の側面に留められる。例えば、留め具１３１−２の側面のうち、収納部３２の側面と接する側面であって、スチールドア２１の内側に入り込む部分にキリ孔が設けられて、収納部３２の側面の対応する位置にネジ孔が設けられて、ボルト１１２−２−１、１１２−２−２および１１２−２−３がそれぞれ、留め具１３１−２の側面のキリ孔のそれぞれを通されて、収納部３２の側面のネジ孔のそれぞれに螺合されることにより、留め具１３１−２が、収納部３２の側面に留められる。
【００９４】
留め具１３１−３（図示せず）および１３１−４（図示せず）は、それぞれ、留め具１３１−１および１３１−２と同様に、角パイプの１つの面が、短手方向の中央部分から長手方向に沿って開かれて、開かれた面の部分と隣接する側面とが１つの平面となる形状に形成されている。留め具１３１−３は、収納部３２の左側を留める。留め具１３１−４は、収納部３２の右側を留める。留め具１３１−３および１３１−４は、留め具１３１−１および１３１−２と同様に構成され、留め具１３１−１および１３１−２と同様に、スチールドア２１と宅配ボックス１２の収納部３２とを留めるので、その説明は省略する。
【００９５】
このように、留め具１３１−１乃至１３１−４は、メーターボックス１１の外側でスチールドア２１に留められている。留め具１３１−１乃至１３１−４は、メーターボックス１１の内側で収納部３２に留められている。
【００９６】
なお、留め具１３１−１乃至１３１−４は、押し出し材または引き抜き材で形成することもできる。
【００９７】
このように、留め具１０１−１乃至１０１−４、留め具１１１−１乃至１１１−４、留め具１２１−１乃至１２１−４および留め具１３１−１乃至１３１−４は、それぞれ、宅配ボックス１２の収納部３２とスチールドア２１とを留める。留め具１０１−１乃至１０１−４、留め具１１１−１乃至１１１−４、留め具１２１−１乃至１２１−４および留め具１３１−１乃至１３１−４は、それぞれ、メーターボックス１１の外側に宅配ボックス１２の蓋３１が配置されるように開き戸であるスチールドア２１に空けられている孔に通されている宅配ボックス１２をスチールドア２１に留める。留め具１０１−１乃至１０１−４、留め具１１１−１乃至１１１−４、留め具１２１−１乃至１２１−４および留め具１３１−１乃至１３１−４は、それぞれ、鋼、ステンレス鋼若しくはアルミニウム合金などの金属、強度と耐久性とを有するエンジニアリングプラスチックなどの樹脂若しくはガラス繊維若しくは炭素繊維などの繊維および樹脂などからなる複合材料またはこれらの組合せからなる。なお、留め具１０１−１乃至１０１−４を一体に形成するようにしてもよい。同様に、留め具１１１−１乃至１１１−４を一体に形成したり、留め具１２１−１乃至１２１−４を一体に形成したり、留め具１３１−１乃至１３１−４を一体に形成したりすることができる。
【００９８】
次に、図９のフローチャートを参照して、宅配ボックス１２付きスチールドア２１の製造方法を説明する。ステップＳ１１において、メーターボックス１１のスチールドア２１に孔が空けられる。すなわち、メーターボックス１１のスチールドア２１のドアパネルに孔が空けられる。孔は、宅配ボックス１２が挿入可能な大きさとされる。また、スチールドア２１には、ボルトなどを通して留め具を留めるための孔も空けられる。さらに、必要に応じて、宅配ボックス１２の留め具にも、ボルトなどを通すキリ孔またはネジ孔が適宜空けられる。
【００９９】
ステップＳ１２において、ステップＳ１１で空けられたスチールドア２１の孔に宅配ボックス１２が通される。この場合、メーターボックス１１の外側に蓋３１が配置されるようにスチールドア２１に空けられている孔に宅配ボックス１２が通される。
【０１００】
ステップＳ１３において、スチールドア２１に留め具を留める。例えば、ボルトまたはナットなどにより、スチールドア２１に留め具が留められる。ステップＳ１４において、留め具に宅配ボックス１２を留める。例えば、ボルトまたはナットなどにより、留め具に宅配ボックス１２が留められる。
【０１０１】
このように、宅配ボックス１２付きスチールドア２１を製造することができる。
【０１０２】
次に、留め具を予め設けた宅配ボックス１２について説明する。図１０乃至図１３は、留め具を予め設けた宅配ボックス１２を用いたメーターボックス１１の切断端面図を示す図である。なお、図１０乃至図１３において、図４と同様の部分には同一の符号を付してあり、その説明は適宜省略する。
【０１０３】
まず、留め具を、収納部３２の側面に対してフランジ状に設けることができる。図１０は、収納部３２の側面に対してフランジ状に設けられた留め具の例を示す、メーターボックス１１の切断端面図を示す図である。
【０１０４】
留め具２０１−１は、収納部３２の上側の側面に対して直交する長方形状の板状、すなわちフランジ状に設けられている。留め具２０１−２は、収納部３２の下側の側面に対して直交する長方形状の板状、すなわちフランジ状に設けられている。留め具２０１−１および２０１−２は、収納部３２と一体に形成されている。
【０１０５】
同様に、図示は省略するが、留め具２０１−３は、収納部３２の左側の側面に対して直交する長方形状の板状、すなわちフランジ状に設けられている。留め具２０１−４は、収納部３２の右側の側面に対して直交する長方形状の板状、すなわちフランジ状に設けられている。留め具２０１−３および２０１−４は、収納部３２と一体に形成されている。
【０１０６】
宅配ボックス１２は、メーターボックス１１の内側、すなわち、スチールドア２１の後側の面（裏面）から、宅配ボックス１２の前側、すなわち、蓋３１側からスチールドア２１に空けられた孔に通されて、留め具２０１−１乃至２０１−４がボルトによりスチールドア２１に留められることで、スチールドア２１に留められる。留め具２０１−１は、ボルト４１−１−１、４１−１−２および４１−１−３によりスチールドア２１に留められる。例えば、留め具２０１−１にネジ孔が設けられて、スチールドア２１の対応する位置にキリ孔が設けられて、ボルト４１−１−１、４１−１−２および４１−１−３が、それぞれ、スチールドア２１の前側からスチールドア２１のキリ孔を通されて、留め具２０１−１のネジ孔に螺合されることにより、留め具２０１−１がスチールドア２１に留められる。
【０１０７】
留め具２０１−２は、ボルト４１−２−１、４１−２−２および４１−２−３によりスチールドア２１に留められる。例えば、留め具２０１−２にネジ孔が設けられて、スチールドア２１の対応する位置にキリ孔が設けられて、ボルト４１−２−１、４１−２−２および４１−２−３が、それぞれ、スチールドア２１の前側からスチールドア２１のキリ孔を通されて、留め具２０１−２のネジ孔に螺合されることにより、留め具２０１−２がスチールドア２１に留められる。
【０１０８】
留め具２０１−３および２０１−４は、留め具２０１−１および２０１−２と同様に、スチールドア２１に留められるので、その説明は省略する。
【０１０９】
このように、留め具２０１−１乃至２０１−４は、メーターボックス１１の内側でスチールドア２１に留められている。
【０１１０】
収納部３２の側面に対してフランジ状に設けられた留め具をメーターボックス１１の外側でスチールドア２１に留めることもできる。
【０１１１】
図１１は、収納部３２の側面に対してフランジ状に設けられた留め具の他の例を示す、メーターボックス１１の切断端面図を示す図である。
【０１１２】
留め具２０２−１乃至２０２−４は、それぞれ、留め具２０１−１乃至２０１−４のそれぞれと同様に、収納部３２の側面に対して直交する長方形状の板状、すなわちフランジ状に設けられている。
【０１１３】
宅配ボックス１２は、メーターボックス１１の外側、すなわち、スチールドア２１の前側の面（表面）から、宅配ボックス１２の後側、すなわち、収納部３２側からスチールドア２１に空けられた孔に通されて、留め具２０２−１乃至２０２−４がボルトによりスチールドア２１に留められることで、スチールドア２１に留められる。留め具２０２−１は、ボルト４１−１−１、４１−１−２および４１−１−３によりスチールドア２１に留められる。例えば、留め具２０２−１にキリ孔が設けられて、スチールドア２１の対応する位置にネジ孔が設けられて、ボルト４１−１−１、４１−１−２および４１−１−３が、それぞれ、スチールドア２１の前側から、留め具２０２−１のキリ孔を通されて、スチールドア２１のネジ孔に螺合されることにより、留め具２０２−１がスチールドア２１に留められる。
【０１１４】
留め具２０２−２は、ボルト４１−２−１、４１−２−２および４１−２−３によりスチールドア２１に留められる。例えば、留め具２０２−２にキリ孔が設けられて、スチールドア２１の対応する位置にネジ孔が設けられて、ボルト４１−２−１、４１−２−２および４１−２−３が、それぞれ、スチールドア２１の前側から、留め具２０２−２のキリ孔を通されて、スチールドア２１のネジ孔に螺合されることにより、留め具２０２−２がスチールドア２１に留められる。
【０１１５】
留め具２０２−３および２０２−４は、留め具２０２−１および２０２−２と同様に、スチールドア２１に留められるので、その説明は省略する。
【０１１６】
このように、留め具２０２−１乃至２０２−４は、メーターボックス１１の外側でスチールドア２１に留められる。
【０１１７】
また、留め具は、長手方向が収納部３２の開口に接する角パイプ状に形成することができる。
【０１１８】
図１２は、長手方向が収納部３２の開口に接する角パイプ状に設けられた留め具の他の例を示す、メーターボックス１１の切断端面図を示す図である。
【０１１９】
留め具２０３−１は、収納部３２の上側の側面に、長手方向の１つの面が収納部３２の開口に接する角パイプ状に形成されている。留め具２０３−２は、収納部３２の下側の側面に、長手方向の１つの面が収納部３２の開口に接する角パイプ状に形成されている。留め具２０３−１および２０３−２は、収納部３２と一体に形成されている。
【０１２０】
同様に、図示は省略するが、留め具２０３−３は、収納部３２の左側の側面に、長手方向の１つの面が収納部３２の開口に接する角パイプ状に形成されている。留め具２０３−４は、収納部３２の右側の側面に、長手方向の１つの面が収納部３２の開口に接する角パイプ状に形成されている。留め具２０３−３および２０３−４は、収納部３２と一体に形成されている。
【０１２１】
宅配ボックス１２は、メーターボックス１１の外側、すなわち、スチールドア２１の前側の面（表面）から、宅配ボックス１２の後側、すなわち、収納部３２側からスチールドア２１に空けられた孔に通されて、留め具２０３−１乃至２０３−４がボルトによりスチールドア２１に留められることで、スチールドア２１に留められる。留め具２０３−１は、ボルト４１−１−１、４１−１−２および４１−１−３によりスチールドア２１に留められる。例えば、留め具２０３−１の後側の面にネジ孔が設けられて、スチールドア２１の対応する位置にキリ孔が設けられて、ボルト４１−１−１、４１−１−２および４１−１−３が、それぞれ、スチールドア２１の後側からスチールドア２１のキリ孔を通されて、留め具２０３−１のネジ孔に螺合されることにより、留め具２０３−１がスチールドア２１に留められる。
【０１２２】
留め具２０３−２は、ボルト４１−２−１、４１−２−２および４１−２−３によりスチールドア２１に留められる。例えば、留め具２０３−２の後側の面にネジ孔が設けられて、スチールドア２１の対応する位置にキリ孔が設けられて、ボルト４１−２−１、４１−２−２および４１−２−３が、それぞれ、スチールドア２１の後側からスチールドア２１のキリ孔を通されて、留め具２０３−２のネジ孔に螺合されることにより、留め具２０３−２がスチールドア２１に留められる。
【０１２３】
留め具２０３−３および２０３−４は、留め具２０３−１および２０３−２と同様に、スチールドア２１に留められるので、その説明は省略する。
【０１２４】
このように、留め具２０３−１乃至２０３−４は、メーターボックス１１の外側でスチールドア２１に留められる。
【０１２５】
さらに、留め具は、長手方向が収納部３２の開口に接する角パイプ状であって、角パイプ状の面のうち、収納部３２の側面に直交する面であって、収納部３２の開口から離れている側の面が、短手方向の中央部分から長手方向に沿って開かれて、収納部３２の側面と１つの平面となる形状に形成することができる。
【０１２６】
図１３は、長手方向が収納部３２の開口に接する角パイプが開かれた形状の留め具の他の例を示す、メーターボックス１１の切断端面図を示す図である。
【０１２７】
留め具２０４−１は、収納部３２の上側の側面に、長手方向の１つの面が収納部３２の開口に接する角パイプ状であって、角パイプ状の面のうち、開口に接する面に対向する面が、短手方向の中央部分から長手方向に沿って開かれて、収納部３２の上側の側面と１つの平面となる形状に形成されている。留め具２０４−２は、収納部３２の下側の側面に、長手方向の１つの面が収納部３２の開口に接する角パイプ状であって、角パイプ状の面のうち、開口に接する面に対向する面が、短手方向の中央部分から長手方向に沿って開かれて、収納部３２の下側の側面と１つの平面となる形状に形成されている。
【０１２８】
同様に、図示は省略するが、留め具２０４−３は、収納部３２の左側の側面に、長手方向の１つの面が収納部３２の開口に接する角パイプ状であって、角パイプ状の面のうち、開口に接する面に対向する面が、短手方向の中央部分から長手方向に沿って開かれて、収納部３２の左側の側面と１つの平面となる形状に形成されている。留め具２０４−４は、収納部３２の右側の側面に、長手方向の１つの面が収納部３２の開口に接する角パイプ状であって、角パイプ状の面のうち、開口に接する面に対向する面が、短手方向の中央部分から長手方向に沿って開かれて、収納部３２の右側の側面と１つの平面となる形状に形成されている。
【０１２９】
なお、留め具２０４−１乃至２０４−４は、長手方向に直交する面における断面形状が概ねコの字状とされ、コの字状に開いている２つの端部のうち、一方の端部が収納部３２の開口の近傍で収納部３２の側面につながり、他方の端部と収納部３２の側面との間に隙間ができるように形成されていると言うこともできる。
【０１３０】
宅配ボックス１２は、メーターボックス１１の外側、すなわち、スチールドア２１の前側の面（表面）から、宅配ボックス１２の後側、すなわち、収納部３２側からスチールドア２１に空けられた孔に通されて、留め具２０４−１乃至２０４−４がボルトによりスチールドア２１に留められることで、スチールドア２１に留められる。留め具２０４−１は、ボルト４１−１−１、４１−１−２および４１−１−３によりスチールドア２１に留められる。例えば、留め具２０４−１の後側の面にネジ孔が設けられて、スチールドア２１の対応する位置にキリ孔が設けられて、ボルト４１−１−１、４１−１−２および４１−１−３が、それぞれ、スチールドア２１の後側からスチールドア２１のキリ孔を通されて、留め具２０４−１のネジ孔に螺合されることにより、留め具２０４−１がスチールドア２１に留められる。
【０１３１】
留め具２０４−２は、ボルト４１−２−１、４１−２−２および４１−２−３によりスチールドア２１に留められる。例えば、留め具２０４−２の後側の面にネジ孔が設けられて、スチールドア２１の対応する位置にキリ孔が設けられて、ボルト４１−２−１、４１−２−２および４１−２−３が、それぞれ、スチールドア２１の後側からスチールドア２１のキリ孔を通されて、留め具２０４−２のネジ孔に螺合されることにより、留め具２０４−２がスチールドア２１に留められる。
【０１３２】
留め具２０４−３および２０４−４は、留め具２０４−１および２０４−２と同様に、スチールドア２１に留められるので、その説明は省略する。
【０１３３】
このように、留め具２０４−１乃至２０４−４は、メーターボックス１１の外側でスチールドア２１に留められる。
【０１３４】
このように、留め具２０１−１乃至２０１−４、留め具２０２−１乃至２０２−４、留め具２０３−１乃至２０３−４および留め具２０４−１乃至２０４−４は、それぞれ、宅配ボックス１２の収納部３２とスチールドア２１とを留める。留め具２０１−１乃至２０１−４、留め具２０２−１乃至２０２−４、留め具２０３−１乃至２０３−４および留め具２０４−１乃至２０４−４は、それぞれ、メーターボックス１１の外側に宅配ボックス１２の蓋３１が配置されるように開き戸であるスチールドア２１に空けられている孔に通されている宅配ボックス１２をスチールドア２１に留める。留め具２０１−１乃至２０１−４、留め具２０２−１乃至２０２−４、留め具２０３−１乃至２０３−４および留め具２０４−１乃至２０４−４は、それぞれ、鋼、ステンレス鋼若しくはアルミニウム合金などの金属、強度と耐久性とを有するエンジニアリングプラスチックなどの樹脂若しくはガラス繊維若しくは炭素繊維などの繊維および樹脂などからなる複合材料またはこれらの組合せからなる。なお、留め具２０１−１乃至２０１−４、留め具２０２−１乃至２０２−４、留め具２０３−１乃至２０３−４および留め具２０４−１乃至２０４−４は、収納部３２と一体に形成してもよいし、収納部３２と別体に設けるようにしてもよい。
【０１３５】
次に、留め具を予め設けた宅配ボックス１２を用いた宅配ボックス１２付きスチールドア２１の製造方法を、図１４のフローチャートを参照して説明する。
【０１３６】
ステップＳ２１において、メーターボックス１１のスチールドア２１に孔が空けられる。すなわち、メーターボックス１１のスチールドア２１のドアパネルに孔が空けられる。孔は、宅配ボックス１２が挿入可能な大きさとされる。また、スチールドア２１には、ボルトなどを通して留め具を留めるための孔も空けられる。さらに、必要に応じて、宅配ボックス１２の留め具にも、ボルトなどを通すキリ孔またはネジ孔が適宜空けられる。
【０１３７】
ステップＳ２２において、ステップＳ２１で空けられたスチールドア２１の孔に宅配ボックス１２が通される。この場合、メーターボックス１１の外側に蓋３１が配置されるようにスチールドア２１に空けられている孔に宅配ボックス１２が通される。ステップＳ２３において、スチールドア２１に宅配ボックス１２の留め具を留める。例えば、ボルトまたはナットなどにより、スチールドア２１に留め具が留められる。
【０１３８】
このように、留め具を予め設けた宅配ボックス１２を用いて、宅配ボックス１２付きスチールドア２１を製造することができる。
【０１３９】
なお、スチールドア２１および留め具または宅配ボックス１２および留め具を留めるためのボルトの数は任意である。
【０１４０】
また、スチールドア２１および留め具または宅配ボックス１２および留め具は、ボルトまたはナットなどにより留められると説明したが、これに限らず、両面テープ、接着剤または溶接やろう付け、はんだ付けなどにより留めることができる。
【０１４１】
特に、宅配ボックス１２の下側を留め具に留める場合、両面テープまたは接着剤を用いると、ボルトやナットなどのなどのように、収納部３２の内側に突き出ることがないので、物品に傷つけることなく、収納部３２に物品を出し入れできるようになる。
【０１４２】
なお、宅配ボックス１２の上側および下側のみをスチールドア２１に留めるようにしてもよいし、宅配ボックス１２の右側および左側のみをスチールドア２１に留めるようにしてもよい。
【０１４３】
また、宅配ボックス１２の蓋３１は、開き戸に限らず、引き戸、引込み扉、折戸またはシャッターとしてもよい。
【０１４４】
このように、収納庫を設置するための場所を別途用意することなく、また、メーターボックスの機能を損なうことなく、集合住宅において、不在の場合でも配達された荷物を受け取ることができる。
【０１４５】
以上のように、メーターボックス１１は、集合住宅に設置され、集合住宅のそれぞれの住戸の電気、ガスまたは水道のそれぞれの使用量を測る計量器を格納している。スチールドア２１は、メーターボックス１１の開き戸である。宅配ボックス１２は、錠前３３により施錠または開錠可能であって、開錠されている場合開閉可能な蓋３１および蓋３１側が開口している箱状であって、蓋によって閉じられる箱状の収納部３２からなる。留め具１３−１乃至１３−４は、メーターボックス１１の外側に蓋３１が配置されるようにスチールドア２１に空けられている孔に通されている宅配ボックス１２をスチールドア２１に留める。宅配ボックス１２の蓋３１は、メーターボックス１１の外側から施錠または開錠可能であり、開錠されている場合、メーターボックス１１の外側から開閉可能とされている。スチールドア２１は、宅配ボックス１２の蓋３１とは別個に開閉可能とされている。
【０１４６】
錠前３３により施錠または開錠可能であって、開錠されている場合開閉可能な蓋３１および蓋３１側が開口している箱状であって、蓋３１によって閉じられる箱状の収納部３２からなる宅配ボックス１２が、メーターボックス１１の外側に蓋３１が配置されるようにスチールドア２１に空けられている孔に通されて、留め具１３−１乃至１３−４で宅配ボックス１２がスチールドア２１に留められるので、スチールドア２１を閉じれば、宅配ボックス１２がメーターボックス１１に収まることになり、宅配ボックス１２を設置するための場所を別途用意する必要がない。宅配ボックス１２の蓋３１が、メーターボックス１１の外側から施錠または開錠可能であり、開錠されている場合、メーターボックス１１の外側から開閉可能とされているので、不在の場合でも配達された荷物を受け取ることができる。また、メーターボックス１１の開き戸であるスチールドア２１は、宅配ボックス１２の蓋３１とは別個に開閉可能とされているので、電気、ガスまたは水道の提供業者が自由に開閉できて、計量器を見て使用量を確認できるので、メーターボックス１１の機能を損なうことがない。このように、収納庫を設置するための場所を別途用意することなく、また、メーターボックスの機能を損なうことなく、集合住宅において、不在の場合でも配達された荷物を受け取ることができる。
【０１４７】
留め具１３−１乃至１３−４を、アングル材から形成することができる。留め具１１１−１乃至１１１−４を、角パイプから形成することができる。このようにすることで、簡単に宅配ボックス１２をスチールドア２１に留めることができる。
【０１４８】
留め具１３１−１乃至１３１−４を、角パイプの１つの面が、短手方向の中央部分から長手方向に沿って開かれて、隣接する面と１つの平面となる形状に形成することができる。このようにすることで、留め具１３１−１乃至１３１−４にバネ成分を持たせることができ、宅配ボックス１２をスチールドア２１に留める場合の応力や宅配ボックス１２の蓋３１の開閉により生じる力を吸収して、宅配ボックス１２の耐久性を向上させることができる。
【０１４９】
留め具１２１−１乃至１２１−４を、メーターボックス１１の外側でスチールドア２１に留めることができる。このようにすることで、留め具１２１−１乃至１２１−４により装飾性を持たせることができる。
【０１５０】
留め具１１１−１乃至１１１−４は、メーターボックス１１の内側でスチールドア２１に留めることができる。このようにすることで、違和感をより少なくして、スチールドア２１に宅配ボックス１２を留めることができる。
【０１５１】
宅配ボックス１２は、錠前により施錠または開錠可能であって、開錠されているとき開閉可能な蓋３１と、蓋３１側が開口している箱状であって、蓋３１によって閉じられる箱状の収納部３２と、収納部３２の側面のうち、収納部３２の開口と隣接する側面に、収納部３２の開口に近接して設けられている、スチールドア２１に空けられている孔に通されている状態でスチールドア２１に留めるための留め具２０１−１乃至２０１−４とを備える。
【０１５２】
留め具２０１−１乃至２０１−４を備える宅配ボックス１２においては、収納部３２の側面のうち、収納部３２の開口と隣接する側面に、収納部３２の開口に近接して設けられている、スチールドア２１に空けられている孔に通されている状態でスチールドア２１に留めるための留め具２０１−１乃至２０１−４が設けられているので、スチールドア２１に空けられている孔に宅配ボックス１２を通せば、より簡単に宅配ボックス１２をスチールドア２１に留めることができる。留め具２０１−１乃至２０１−４で宅配ボックス１２がスチールドア２１に留められるので、スチールドア２１を閉じれば、宅配ボックス１２がメーターボックス１１に収まることになり、宅配ボックス１２を設置するための場所を別途用意する必要がない。宅配ボックス１２の蓋３１が錠前により施錠または開錠可能であって、開錠されているとき開閉可能とされているので、メーターボックス１１のスチールドア２１である開き戸に対して、宅配ボックス１２の蓋３１が外側に配置されるように宅配ボックス１２をスチールドア２１に留めれば、宅配ボックス１２の蓋３１が、メーターボックス１１の外側から施錠または開錠可能であり、開錠されている場合、メーターボックス１１の外側から開閉可能とされているので、不在の場合でも配達された荷物を受け取ることができる。宅配ボックス１２の蓋３１が、メーターボックス１１のスチールドア２１である開き戸とは別に設けられるので、宅配ボックス１２をメーターボックス１１のスチールドア２１である開き戸に留めても、メーターボックス１１のスチールドア２１である開き戸を、宅配ボックス１２の蓋３１とは別個に開閉することができるので、電気、ガスまたは水道の提供業者がメーターボックス１１のスチールドア２１である開き戸を自由に開閉できて、計量器を見て使用量を確認できるので、メーターボックス１１の機能を損なうことがない。このように、収納庫を設置するための場所を別途用意することなく、また、メーターボックスの機能を損なうことなく、集合住宅において、不在の場合でも配達された荷物を受け取ることができる。
【０１５３】
留め具２０１−１乃至２０１−４を、宅配ボックス１２の側面に対してフランジ状に設けることができる。このようにすることで、簡単に宅配ボックス１２をスチールドア２１に留めることができる。
【０１５４】
留め具２０３−１乃至２０３−４を、長手方向の１つの面が収納部３２の開口に接する角パイプ状に形成することができる。このようにすることで、留め具２０３−１乃至２０３−４により装飾性を持たせることができる。
【０１５５】
留め具２０４−１乃至２０４−４を、長手方向の１つの面が収納部３２の開口に接する角パイプ状であって、角パイプ状の面のうち、開口に接する面に対向する面が、短手方向の中央部分から長手方向に沿って開かれて、収納部３２の側面と１つの平面となる形状に形成することができる。このようにすることで、留め具２０４−１乃至２０４−４にバネ成分を持たせることができ、宅配ボックス１２をスチールドア２１に留める場合の応力や宅配ボックス１２の蓋３１の開閉により生じる力を吸収して、宅配ボックス１２の耐久性を向上させることができる。
【０１５６】
集合住宅に設置され、集合住宅のそれぞれの住戸の電気、ガスまたは水道のそれぞれの使用量を測る計量器を格納しているメーターボックス１１のスチールドア２１である開き戸に、錠前により施錠または開錠可能であって、開錠されている場合開閉可能な蓋３１および蓋３１側が開口している箱状であって、蓋３１によって閉じられる箱状の収納部３２からなる宅配ボックス１２を通す孔を開け、メーターボックス１１の外側に蓋３１が配置されるようにスチールドア２１に空けられている孔に宅配ボックス１２を通し、留め具１３−１乃至１３−４によって、宅配ボックス１２をスチールドア２１に留めてスチールドア２１が製造される。
【０１５７】
メーターボックス１１のスチールドア２１に、宅配ボックス１２を通す孔を開け、メーターボックス１１の外側に蓋３１が配置されるようにスチールドア２１に空けられている孔に宅配ボックス１２を通し、留め具１３−１乃至１３−４によって、宅配ボックス１２をスチールドア２１に留めるので、スチールドア２１を閉じれば、宅配ボックス１２がメーターボックス１１に収まることになり、宅配ボックス１２を設置するための場所を別途用意する必要がない。宅配ボックス１２の蓋３１が錠前により施錠または開錠可能であって、開錠されているとき開閉可能とされ、メーターボックス１１の外側に蓋３１が配置されるようにスチールドア２１に空けられている孔に宅配ボックス１２を通し、留め具１３−１乃至１３−４によって、宅配ボックス１２をスチールドア２１に留めるので、宅配ボックス１２の蓋３１が、メーターボックス１１の外側から施錠または開錠可能であり、開錠されている場合、メーターボックス１１の外側から開閉可能とされているので、不在の場合でも配達された荷物を受け取ることができる。宅配ボックス１２の蓋３１が、メーターボックス１１のスチールドア２１である開き戸とは別に設けられるので、宅配ボックス１２をメーターボックス１１のスチールドア２１である開き戸に留めても、メーターボックス１１のスチールドア２１である開き戸を、宅配ボックス１２の蓋３１とは別個に開閉することができるので、電気、ガスまたは水道の提供業者がメーターボックス１１のスチールドア２１である開き戸を自由に開閉できて、計量器を見て使用量を確認できるので、メーターボックス１１の機能を損なうことがない。このように、収納庫を設置するための場所を別途用意することなく、また、メーターボックスの機能を損なうことなく、集合住宅において、不在の場合でも配達された荷物を受け取ることができる。
【０１５８】
宅配ボックス１２に予め設けられている留め具２０１−１乃至２０１−４によって、宅配ボックス１２をスチールドア２１に留めることができる。このようにすることで、より簡単に宅配ボックス１２をスチールドア２１に留めることができる。
【０１５９】
また、本発明の実施の形態は、上述した実施の形態に限定されるものではなく、本発明の要旨を逸脱しない範囲において種々の変更が可能である。
【符号の説明】
【０１６０】
１１  メーターボックス，  １２  宅配ボックス，  １３−１乃至１３−４  留め具，  ２１  スチールドア，  ３１  蓋，  ３２  収納部，  ３３  錠前，  ３４  印鑑部，  ４１−１−１，４１−１−２および４１−１−３，４１−２−１，４１−２−２および４１−２−３，４１−３−１，４１−３−２および４１−３−３，並びに４１−４−１，４１−４−２および４１−４−３  ボルト，  ５１−１−１，５１−１−２および５１−１−３，５１−２−１，５１−２−２および５１−２−３，５１−３−１，５１−３−２および５１−３−３，並びに５１−４−１，５１−４−２および５１−４−３  ボルト，  ５２−１−１，５２−１−２および５２−１−３，５２−２−１，５２−２−２および５２−２−３，５２−３−１，５２−３−２および５２−３−３，並びに５２−４−１，５２−４−２および５２−４−３  ナット，  １０１−１乃至１０１−４，１１１−１乃至１１１−４，１２１−１乃至１２１−４および１３１−１乃至１３１−４  留め具，  １１２−１−１，１１２−１−２および１１２−１−３，１１２−２−１，１１２−２−２および１１２−２−３，１１２−３−１，１１２−３−２および１１２−３−３，並びに１１２−４−１，１１２−４−２および１１２−４−３  ボルト，  ２０１−１乃至２０１−４，２０２−１乃至２０２−４，２０３−１乃至２０３−４および２０４−１乃至２０４−４  留め具
【要約】
【課題】収納庫を設置するための場所を別途用意することなく、また、メーターボックスの機能を損なうことなく、集合住宅において、不在の場合でも配達された荷物を受け取ることができる。
【解決手段】メーターボックスのスチールドアである開き戸は、錠前により施錠または開錠可能であって、開錠されている場合開閉可能な蓋および蓋側が開口している箱状であって、蓋によって閉じられる箱状の収納部からなる収納庫と、メーターボックスの外側に蓋が配置されるように開き戸に空けられている孔に通されている収納庫を開き戸に留める留め具とを備える。収納庫の蓋は、メーターボックスの外側から施錠または開錠可能であり、開錠されている場合、メーターボックスの外側から開閉可能とされている。スチールドアである開き戸は、収納庫の蓋とは別個に開閉可能とされている。
【選択図】図３【図１】
0006893375.tif 000002
【図２】
0006893375.tif 000003
【図３】
0006893375.tif 000004
【図４】
0006893375.tif 000005
【図５】
0006893375.tif 000006
【図６】
0006893375.tif 000007
【図７】
0006893375.tif 000008
【図８】
0006893375.tif 000009
【図９】
0006893375.tif 000010
【図１０】
0006893375.tif 000011
【図１１】
0006893375.tif 000012
【図１２】
0006893375.tif 000013
【図１３】
0006893375.tif 000014
【図１４】
0006893375.tif 000015